(57)【要約】【課題】コンロバーナとグリルバーナの作動状態を天板面で確認できる構成とし、視認性の向上を図る。【解決手段】コンロバーナ４の動作を指示、表示する第１の操作部８及び表示部９と、グリル部５の動作を指示、表示する第２の操作部６ａ及び表示部６ｂを有し、第１の操作部８及び表示部９は天板３上に配設し、前記第２の操作部６ａ及び表示部６ｂはグリル扉５ａと同一面に収納自在に配設し、前記第１の操作部８及び表示部９とコンロバーナ４の境界域には、バーナ４の設置領域と操作表示部８，９の設置領域を発光状態で視認する区画視認手段２４を設け、前記区画視認手段２４は、前記第１の操作部８と第２の操作部６ａの入力指示に連動して発光状態を変化させる構成としたものである。【選択図】図１
2007147131.tif 000002
【特許請求の範囲】
【請求項１】
天板上に設けた開口に臨むように配設した大、中、小の３つのコンロバーナと、前記コンロバーナの下方に設けたグリル庫内にグリルバーナを内蔵すると共に前面側に引き出し自在のグリル扉を有したグリル部と、前記各バーナへのガスの供給と遮断を行うと共に弁駆動手段を介してガス流量を制御するガス流量制御装置と、前記ガス流量制御装置に駆動信号を供給する制御手段と、前記制御手段に所定の操作信号を入力指示する操作部と、前記制御手段の作動状態を表示する表示部とを備え、前記操作部及び表示部は、前記コンロバーナの動作を指示、表示する第１の操作部及び表示部と、前記グリル部の動作を指示、表示する第２の操作部及び表示部を有し、前記第１の操作部及び表示部は天板上に配設し、前記第２の操作部及び表示部はグリル扉と同一面に収納自在に配設し、前記第１の操作部及び表示部とコンロバーナの境界域には、バーナの設置領域と操作表示部の設置領域を発光状態で視認する区画視認手段を設け、前記区画視認手段は、前記第１の操作部と第２の操作部の入力指示に連動して発光状態を変化させる構成としたガス調理器。
【請求項２】
区画視認手段は、バーナの設置領域または操作表示部の設置領域の略全幅にわたって区別できるように設けた請求項１記載のガス調理器。
【請求項３】
区画視認手段は、第１の操作部からの入力指示と、第２の操作部からの入力指示によって、発光形態を変化させる構成とした請求項１または２記載のガス調理器。
【請求項４】
区画視認手段は、第１の操作部または第２操作部からの入力指示と、第１の操作部及び第２操作部からの入力指示によって、発光形態を変化させる構成とした請求項１または２記載のガス調理器。
【請求項５】
区画視認手段は、第１の操作部で１つのコンロバーナを動作指示した場合と複数のコンロバーナを同時に動作指示した場合で、発光形態を変化させる構成とした請求項１または２記載のガス調理器。
【発明の詳細な説明】
【技術分野】
【０００１】
本発明は、一般家庭で使用するガスコンロに関し、特に操作部及び表示部の構成に係るものである。
【背景技術】
【０００２】
従来のガスコンロは、一般に加熱手段となるバーナの点火−消火（以下ＯＮ−ＯＦＦという）および火力調節は、器具本体であるコンロ本体の略垂直な前側面に設けた操作部で行っている。
【０００３】
また、操作部をコンロ本体の天板上に設けたものにあっては、コンロ本体の両側のどちらか一方に設けるように構成したものがある（例えば、特許文献１参照）。
【０００４】
この特許文献１の構成は、図  に示すようにコンロ本体１は、天板２をキッチンカウンター３に載せて組み込み、そして天板２上に並設したバーナ４は手動機械式のガスコック５を介してガスを供給するように構成しており、ガスコック５の操作部となる摘み６が天板２の上面における左右どちらかに突出して設けねばならなくなる。図中  はゴトクである。
【特許文献１】特開２００２−８９８５４号公報
【発明の開示】
【発明が解決しようとする課題】
【０００５】
しかしながら、上記従来の前者の構成では、コンロ本体の前側面の操作部でバーナのＯＮ−ＯＦＦおよび火力調節を行う場合、その操作部が通常、腰の高さにあり、身体を折り曲げる、または屈み込む等の不自然な姿勢を強いられ、操作がし難いのと操作の結果を見て確認する視認性が悪かった。
【０００６】
また、操作部である摘み６がコンロ本体１の天板２上にある上記従来の後者の構成では、ガス流量制御部と操作部が一体となった手動機械式のガスコック５がバーナ４にガスを供給するための配置がバーナの位置を考慮しなければならなく、一方、ガスコック５の操作部である摘み６はガスコック５の配置と操作性に制約される等で、操作性のみを考慮して天板２上に摘み６を配置できず、また摘み自体の容積も大きく、極めて限られたスペースに限られた機能しか設けることができない。
【０００７】
また、摘み６が高さを有するので、バーナ４の火炎の熱影響を受けて熱くなることが予想されるとともに、天板２上に突き出ているため天板２の拭き掃除等がし難い欠点を有している。
【０００８】
また、摘み６は天板２の左右いずれかに設けているので、キッチンカウンター３のスペースを摘み６の設置スペース分だけ狭くすることになったり、摘み６を複数設ける場合、天板２の手前側から奥方向に複数の摘みを並べることになるため、奥に設けた摘みほど操作性が悪くなることが考えられる。
【０００９】
また、グリルを備えるものにあっては、グリル操作部及び表示部は、一般的にグリル扉と同一面に設けられているため、グリルの使用状態の確認が困難で、さらに、グリル操作部及び表示部が器具内に収納できるようなタイプのものにあっては、収納状態においてグリルが使用されているか否かを遠くから確認することができないという不具合を有していた。
【００１０】
本発明は上記従来の課題を解決するもので、楽な姿勢で操作を行え、かつ視認性のよい操作部、表示部を備えるとともに、バーナを設置した高温領域と操作表示部を配置した低温領域を明確に区別し、さらにグリルの使用状態を遠くから確認できる構成とすることで、使い勝手と安全性を両立させたガスコンロを提供することにある。
【課題を解決するための手段】
【００１１】
前記課題を解決するために、本発明のガス調理器は、天板上に設けた開口に臨むように配設した大、中、小の３つのコンロバーナと、前記コンロバーナの下方に設けたグリル庫内にグリルバーナを内蔵すると共に前面側に引き出し自在のグリル扉を有したグリル部と、
前記各バーナへのガスの供給と遮断を行うと共に弁駆動手段を介してガス流量を制御するガス流量制御装置と、前記ガス流量制御装置に駆動信号を供給する制御手段と、前記制御手段に所定の操作信号を入力指示する操作部と、前記制御手段の作動状態を表示する表示部とを備え、前記操作部及び表示部は、前記コンロバーナの動作を指示、表示する第１の操作部及び表示部と、前記グリル部の動作を指示、表示する第２の操作部及び表示部を有し、前記第１の操作部及び表示部は天板上に配設し、前記第２の操作部及び表示部はグリル扉と同一面に収納自在に配設し、前記第１の操作部及び表示部とコンロバーナの境界域には、バーナの設置領域と操作表示部の設置領域を発光状態で視認する区画視認手段を設け、前記区画視認手段は、前記第１の操作部と第２の操作部の入力指示に連動して発光状態を変化させる構成としたものである。
【００１２】
上記発明によれば、コンロバーナとグリルバーナを有したガス調理器において、各バーナへのガスの供給と遮断を行うガス流量制御装置を電気信号で駆動する弁駆動手段を用いて構成することで、コンロバーナの操作信号を入力する第１の操作部や表示部は前記ガス流量制御装置やその制御手段の設置位置に左右されることなく独立して自由な位置に設置することができ、バーナの火炎による熱的影響、操作性、視認性等を考慮し、天板上の温度的に設置可能なバーナの熱影響が少ない天板の上面の周辺部に配置することが可能になり、操作性、視認性を向上することができるとともに、前記第１の操作部及び表示部は、バーナを設置した高温領域と区別して配置し、その境界域に発光状態で視認する区画視認手段を設けているため、コンロバーナが停止している時の発光停止状態からコンロバーナが作動した時の発光状態に変化することで、使用者に高温領域と低温領域を確実に認識してもらうことができ、高温領域に触れたり、低温領域に鍋を載せるという行為を未然に回避する注意喚起を行うことができる。さらに、グリル扉と同一面に配設した第２の操作部及び表示部でグリル部の動作指示及び状態表示が行われるとき、天板面に設けた発光状態で視認する区画視認手段を用いることで、遠くからでもグリル部の動作状態を容易に確認することができ、また、第２の操作部及び表示部が収納自在に構成されたものであっても、グリル部の動作状態を容易に確認することができ、使い勝手のよいガス調理器を提供することができる。
【発明の効果】
【００１３】
本発明のガス調理器は、天板面に設けた発光状態で視認する区画視認手段を用いてコンロバーナとグリル部の動作状態を表示することで視認性の向上を図ることができる。
【発明を実施するための最良の形態】
【００１４】
第１の発明は、天板上に設けた開口に臨むように配設した大、中、小の３つのコンロバーナと、前記コンロバーナの下方に設けたグリル庫内にグリルバーナを内蔵すると共に前面側に引き出し自在のグリル扉を有したグリル部と、
前記各バーナへのガスの供給と遮断を行うと共に弁駆動手段を介してガス流量を制御するガス流量制御装置と、前記ガス流量制御装置に駆動信号を供給する制御手段と、前記制御
手段に所定の操作信号を入力指示する操作部と、前記制御手段の作動状態を表示する表示部とを備え、前記操作部及び表示部は、前記コンロバーナの動作を指示、表示する第１の操作部及び表示部と、前記グリル部の動作を指示、表示する第２の操作部及び表示部を有し、前記第１の操作部及び表示部は天板上に配設し、前記第２の操作部及び表示部はグリル扉と同一面に収納自在に配設し、前記第１の操作部及び表示部とコンロバーナの境界域には、バーナの設置領域と操作表示部の設置領域を発光状態で視認する区画視認手段を設け、前記区画視認手段は、前記第１の操作部と第２の操作部の入力指示に連動して発光状態を変化させる構成としたことを特長とするものである。
【００１５】
そして、コンロバーナとグリルバーナを有したガス調理器において、各バーナへのガスの供給と遮断を行うガス流量制御装置を電気信号で駆動する弁駆動手段を用いて構成することで、コンロバーナの操作信号を入力する第１の操作部や表示部は前記ガス流量制御装置やその制御手段の設置位置に左右されることなく独立して自由な位置に設置することができ、バーナの火炎による熱的影響、操作性、視認性等を考慮し、天板上の温度的に設置可能なバーナの熱影響が少ない天板の上面の周辺部に配置することが可能になり、操作性、視認性を向上することができるとともに、前記第１の操作部及び表示部は、バーナを設置した高温領域と区別して配置し、その境界域に発光状態で視認する区画視認手段を設けているため、コンロバーナが停止している時の発光停止状態からコンロバーナが作動した時の発光状態に変化することで、使用者に高温領域と低温領域を確実に認識してもらうことができ、高温領域に触れたり、低温領域に鍋を載せるという行為を未然に回避する注意喚起を行うことができる。さらに、グリル扉と同一面に配設した第２の操作部及び表示部でグリル部の動作指示及び状態表示が行われるとき、天板面に設けた発光状態で視認する区画視認手段を用いることで、遠くからでもグリル部の動作状態を容易に確認することができ、また、第２の操作部及び表示部が収納自在に構成されたものであっても、グリル部の動作状態を容易に確認することができ、使い勝手のよいガス調理器を提供することができる。
【００１６】
第２の発明は、区画視認手段は、コンロバーナの設置領域または操作表示部の設置領域の略全幅にわたって区別できるように設けたことを特徴とするものである。
【００１７】
そして、コンロバーナを設置した高温領域と第１の操作表示部を配置した低温領域をほぼ全域にわたって区画することができるため、使用者への認知度を高めることができ、高温領域に触れたり、低温領域に鍋を載せるという行為を未然に回避する注意喚起を確実に行うことができるとともに、遠くからでもグリル部の動作状態を容易に確認することができる。
【００１８】
第３の発明は、区画視認手段は、第１の操作部からの入力指示と、第２の操作部からの入力指示によって、発光形態を変化させる構成としたことを特徴とするものである。
【００１９】
そして、第１の操作部によりコンロバーナの動作指示が行われた場合と、第２の操作部によりグリルバーナの動作指示が行われた場合で、区画視認手段の発光形態を、例えば、点灯と点滅あるいは発光色を赤色と橙色に変化させて表示することで、使用者への認知度をより高めることができる。
【００２０】
第４の発明は、区画視認手段は、第１の操作部または第２操作部からの入力指示と、第１の操作部及び第２操作部からの入力指示によって、発光形態を変化させる構成としたことを特徴とするものである。
【００２１】
そして、第１の操作部または第２操作部によってコンロバーナ又はグリルバーナを単独で動作指示した場合と、第１の操作部及び第２操作部でコンロバーナとグリルバーナを同
時に動作指示した場合で、区画視認手段の発光形態を、例えば、点灯と点滅あるいは発光色を赤色と橙色に変化させて表示することで、使用者への認知度をより高めることができる。
【００２２】
第５の発明は、区画視認手段は、第１の操作部で１つのコンロバーナを動作指示した場合と複数のコンロバーナを同時に動作指示した場合で、発光形態を変化させる構成としたことを特徴とするものである。
【００２３】
そして、１つのコンロバーナを使用しているときと、複数のコンロバーナを同時に使用しているときで、区画視認手段の発光形態を、例えば、点灯と点滅あるいは発光色を赤色と橙色に変化させて表示することで、使用者への認知度を高めることができ、高温領域に触れたり、低温領域に鍋を載せるという行為を未然に回避する注意喚起を確実に行うことができる。
以下、本発明の実施の形態について、図面を参照して説明を行う。なお、本実施の形態によって本発明が限定されるものではない。
【００２４】
（実施の形態１）
図１は本発明の実施の形態におけるガス調理器の使用形態を示す図、図２は同ガス調理器のグリル部及び第２の操作部を示す図、図３は同ガス調理器の第２の操作部を示す図、図４は同ガス調理器の断面図、図５は同ガス調理器の操作表示部及びバーナ配設構成を示す上面図、図６は同ガス調理器の第１の操作部を示す詳細図、図６は同ガス調理器のガス流量制御装置のブロック図である。
【００２５】
図において、本実施の形態におけるガス調理器１は流し台のカウンタートップ２に嵌めこまれ、上面側にはガラス体で構成された天板３に設けられた開口３ａ，３ｂに臨むように複数のバーナ４ａ，４ｂが配設されている。また、バーナ４ａ，４ｂの下方にはグリル部５が設けられ、前面側に設けられたグリル扉５ａを開閉することで焼き物等の調理ができるようになっている。このグリル扉５ａと同一面にはグリル部５のバーナ（図示せず）の燃焼動作を指示、表示する第２の操作部６ａ及び表示部６ｂが設けられ、この第２の操作表示部６内には器具の運転／停止を指示する運転スイッチ７が配設されている。
【００２６】
そして、この第２の操作表示部６はカンガルーポケット式で器具内に収納自在な構成となっており、図２に収納された状態を示し、図３に取り出した状態を示す。この取り出した状態で運転スイッチ７をオン操作した後、第２の操作部６ａに配設された点火キーを操作することでグリルバーナへ点火することができ、他の設定キーを操作することで好みの調理条件を設定することができる。
【００２７】
また、点火操作後、第２の操作表示部６を押し込むことで、図２に示す収納状態とすることができるが、この状態にすると、第２の表示部６ｂでグリル部５の作動状態を確認することができなくなり、グリル扉５ａから覗き込んで燃焼しているか否かを確認する必要があった。
【００２８】
そして、グリル部５は、コンロバーナ４の下方に設けたグリル庫５ｂと、該グリル庫５ｂ内を摺動自在に移動するグリル皿５ｃと、該グリル皿５ｃ上に載置される焼き網５ｄと、前記グリル庫５ｂの外側に設置された固定レール５ｅと、該固定レール５ｅに係合し摺動自在に移動する可動レール５ｆと、該可動レール５ｆに取り付けたグリル把手５ｇと、該グリル把手５ｇに嵌合して取り付けたグリル扉５ａで構成され、左右の可動レール５ｆを連結金具を介してグリル把手５ｇと締結し、該グリル把手５ｇに着脱自在にグリル皿５ｃを取り付けるようにしている。
【００２９】
そして、グリル把手５ｇを持って引き出すことにより可動レール５ｆが固定レール５ｅ上をスムーズに摺動し予め設定された規制位置まで引き出すことができる。この規制位置をグリル皿５ｃがグリル庫５ｂから完全に引き出される位置に設定しておくことで、調理物を載置する焼き網５ｄが完全に外側に露出するため調理作業がやり易くなる。また、固定レール５ｅと可動レール５ｆとの係合により摺動位置を規制しているため、完全に引き出した状態でも所定の強度を安定して確保することができる。
【００３０】
また、グリル庫５ｂに内蔵した複数のグリルバーナ５ｈの燃焼動作により発生した燃焼ガスは、排気通路（図示せず）を経由して器具１上面の後方側に設けられた排気口１０より排出される。この排気口１０にはスリット状の開口を複数設け排気ガスを均一に排出するための排気口カバー１１が載置されている。さらに、器具１上面には排気口１０に並設して器具１内の換気を行うための換気口１２が設けられ、この上部には異物侵入防止のために換気口カバー１３が載置されている。
【００３１】
そして、排気口１０と換気口１２は、板金で成形された排気蓋１４で一体的に構成されており、ガラス天板３の後方端面を覆うように器具１上面の後方に配置されている。
【００３２】
また、排気蓋１４には、略中間部に排気口１０と換気口１２に挟まれるようにコンロバーナ４ｃを装着するための開口１５が設けられ、この開口１５の周囲には五徳１６を載置するための段押し部１７が設けられている。この開口１５にコンロバーナ４ｃを設置し、段押し部１７に五徳１６を載置して３つ目のコンロ部を構成している。また、段押し部１７は排気蓋１４の強度を高める作用も有している。
【００３３】
このように、ガラス天板３上の左右に２つのコンロバーナ４ａ，４ｂを配置し、その上部に五徳１６を載置して大カロリー用、中カロリー用のコンロ部を構成すると共に、その略中間部の後方側にガラス天板３の設置領域と排気口１０の設置領域１４ａを跨ぐようにコンロバーナ４ａ，４ｂよりも小カロリーのコンロバーナ４ｃを配置し、その上部に五徳１６を載置して小カロリー用のコンロ部を構成している。
【００３４】
また、ガラス天板３の手前側には、それぞれのバーナ４ａ，４ｂ，４ｃに対応して、第１の操作部８ａ，８ｂ，８ｃと表示器９ａ，９ｂ，９ｃが設けられており、第１の操作部８は天板３を構成するガラス体の裏面側に電極を構成した静電シートを貼り付け、ガラス体表面に接触するだけで作用する静電スイッチで構成し、表示部９は、それぞれのバーナ４ａ，４ｂ，４ｃに対応して設けた液晶表示器を用いた第１の表示器９ａ，９ｂ，９ｃでバーナ４の動作状態をそれぞれ表示するとともに、バーナ４ａ，４ｂ，４ｃが設置されたバーナ設置領域と第１の操作部８ａ，８ｂ，８ｃ及び表示器９ａ，９ｂ，９ｃが設けられた第１操作表示部設置領域とを区画する境界域に発光状態で視認することができる区画視認手段２４を設けている。この区画視認手段２４はガラス天板３の下方にＬＥＤ等の発光体２５と導光ガイド２６と導光板２７を設け、前記発光体２５より照射される光を導光ガイド２６を介して導光板２７に伝えガラス天板面に導くことにより天板３の上面から視認できる構成としてある。
【００３５】
また、区画視認手段２４は導光板２７をバーナ４の設置領域または第１の操作部８の設置領域の略全幅にわたって直線状に配置し、発光体２５から照射された光を全域で発光させるようにしている。
【００３６】
そして、第１の操作部８からの入力指示でコンロバーナ４ａ，４ｂ，４ｃのどのバーナが運転した場合でも、または、第２の操作部６ａからの入力指示でグリルバーナ５ｈが運転した場合でも、発光体２５が発光を開始し、ガラス天板３のバーナ４の設置領域または第１の操作部８の設置領域の略全幅にわたって直線状に配置した区画視認手段２４が消灯
状態から点灯状態に発光状態を変化することにより、コンロバーナ４とグリルバーナ５ｈの作動状態が一目瞭然に確認することができ、遠くからでも容易に確認することができる。そして、ガラス天板３の表面が高温状態にあることを使用者に報知することができるため、安全で使い勝手のよいガス調理器を提供することができる。
【００３７】
また、第１の操作部８と表示部９は表示ケース２１に収納され、バーナ４からの輻射熱による影響を低減し、上面側はガラス体の天板３で覆われることで、バーナ４の火炎による熱的影響を軽減している。さらに、バーナ４の下方には燃料であるガスを供給するためのガス弁や流量調節弁で構成されたガス供給部２３が配設され、このガス供給部２３の動作を制御するための制御部２２が設けられている。そして、ガス供給部２３は第１の操作部８及び第２の操作部６ａからの操作信号に基づいて制御部２２から出力される所定の駆動信号により閉止及びガス流量を制御し、火力調節を行うようになっている。
【００３８】
このように、電気的信号を用いてバーナ４に供給するガス流量を任意に変更できる構成としたことで、ガス供給部２３を任意の場所に設置することが可能となり、第１の操作部８の設置場所も制約を受けることがなくなる。よって、ガラス天板３の面に静電スイッチ等を用いて構成することが可能となり、操作性及び掃除性の優れた操作部構成を実現することができる。
【００３９】
ここで、ガラス天板３に構成される第１の操作部８及び表示部９について説明すると、天板３の手前表面には区画視認窓２４ａを設け、その更に前方に表示窓２４ｂを各バ−ナ４に対応するようにそれぞれ設置する。前記表示窓２４ｂは強化されたガラスを用いる天板３の裏面の印刷を施さず透明なくり抜き状態としてその表示窓２４ｂ下方に設置した液晶やＬＥＤで構成されるコンロバーナの点火状態や火力等の動作表示が視認可能な動作表示器９を設置する。
【００４０】
また、動作表示器９の前方にはガラス裏面に両面テ−プ等で貼り付けた静電容量の変化を検知する静電スイッチ８ｄを貼り付け、その上方の天板３の裏面に前記静電スイッチ８ｄの電極に対応させた操作部８を配置する。この構成によりコンロ本体前方より操作部８に触れるだけでバ−ナ４の点火や消火、火力調節といった一連の操作を行うことができるとともに、液晶表示等の動作表示器９にその動作状態が表示窓２４ｂを通して表示されるため、使い勝手もよく視認性のよい天面操作式ガス調理器の構成が可能である。
【００４１】
次に、ガラス天板３と排気蓋１４で構成する天板部２０について説明すると、コンロバーナ４ａ，４ｂの装着口３ａ，３ｂ及び操作部８，表示部９の設置面を有したガラス天板３は、後方端略中間部にコンロバーナ４ｃの装着口の一部を形成するための略半円状の切り欠き部を有した形状となっている。そして、このガラス天板３の下方を覆うように設けた金属製の天板保護部材１８に載置する。天板保護部材１８は、コンロバーナ４ａ，４ｂの装着口３ａ，３ｂ及び操作部８，表示部９の設置面及び排気蓋１４に形成されたコンロバーナ４ｃの装着口１５，排気口１０、換気口１２に対応する位置にそれぞれ開口孔１８ａ，１８ｂ，１８ｃ，１８ｄ，１８ｅ，１８ｆが設けられている。この孔位置に対応するようにガラス天板３を載置する。
【００４２】
そして、天板保護部材１８に載置したガラス天板３の後方に排気蓋１４を同様に開口孔位置を合わせて載置し、排気蓋１４と天板保護部材１８をビス等で締結する。このとき、ガラス天板３と排気蓋１４の接合部において、ガラス天板３の端面を覆うように排気蓋１４を接合し、ガラス天板３の位置決めを行うようにしている。そして、天板保護部材１８とガラス天板３及び排気蓋１４の周囲を略コの字状に成形した金属製枠体１９で挟み込むことにより、ガラス天板３と排気蓋１４を一体化して天板部２０を構成することができる。そして、天板保護部材１８の開口１８ｃに対応させて表示ケース２１を固定することで
第２の表示部９を収納する。
【００４３】
そして、表示ケース２１は図６〜図１０に示すように、中央が貫通された構成で、天板３上の区画視認窓２４ａの下方にケース凹部２８を形成し、前記ケ−シング凹部２８には導光板２７を埋設するようにしている。ケ−シング凹部２８には導光貫通部２９を設け、導光棒１１には導光ガイド２６を設け、前記導光貫通部２９により導光ガイド２６はプリント基板３０側へ貫通することが可能となる。
【００４４】
ケ−シング２１にはプリント基板３０を組立てることができ、前記プリント基板３０には静電スイッチ８ｄからの信号を処理するマイコン等の制御手段３１や、液晶等の動作表示器９や前述した導光ガイド２６に光を照射するＬＥＤ２５を配置した構成としている。ＬＥＤ２５から照射された光源は導光板２７の導光ガイド２６に照射することにより導光板２７の上方面を赤や青色等に光らせることが可能となる。なお、その際にＬＥＤ２５から照射された光は器具内のみならず、天板３の下方にまで広がり、遮光するような構成としなければ光が天板３上や、動作表示器９などに漏れてしまうといった課題を有している。本構成ではＬＥＤ２５をケ−シング２１よびプリント基板３０により遮光するとともに導光ガイド２６からの光漏れも白色テ−プ等により構成された遮光カバ−３２により遮光可能となる。
【００４５】
以上の構成により、バーナ４の設置領域を全体的に器具１の後方側に移動することができるため、器具１の前方側に第１の操作部８及び表示部９を設置するためのスペースを確保することができ、ガス調理器のように器具１の上面側で裸火による燃焼部を有する機器において、操作性を向上させる目的で操作部を器具上面に設置するための有効な構成を提供することができる。
【００４６】
以上のように構成されたガス調理器について、以下その動作、作用を説明する。
【００４７】
ガス調理器を使用する場合はまず、器具正面側に設けた第２の操作部６を開き、運転スイッチ７をオンする。次に、使用したいバーナを選択してそのバーナに対応する操作部の点火キーを操作する。例えば、コンロバーナ４ａを使用する場合は、第１の操作部８ａの点火キーをタッチ操作すると、点火動作を開始し燃焼動作に移行する。この状態で火力調節キーや調理モードの設定キーを操作することで、好みの調理条件を設定することができる。そして、表示部９ａには設定された調理条件が表示され、どのバーナが、どのような条件で作動しているのかを確認することができるようになっている。但し、表示器９は運転スイッチ７がオンしているときに点灯するようにしているため、バーナが作動していないときも点灯状態となり、遠く離れた場所からはバーナ作動状態とバーナの非作動状態の区別がつきにくく、火力が最小設定にされた場合等は、燃焼しているにもかかわらず、燃焼していないと勘違いされる場合がある。
【００４８】
また、グリル部５を使用する場合は、第２の操作部６ａの点火キーをタッチ操作すると、グリルバーナ５ｈの点火動作を開始し燃焼動作に移行する。この状態で火力調節キーや調理モードの設定キーを操作することで、好みの調理条件を設定することができる。そして、表示部６ｂには設定された調理条件が表示される。このとき、第２の操作表示部６を押し込んで収納状態にしてしまうと、表示部６ｂが隠れてしまうため、グリル部５が作動状態にあるか否かを確認しにくい状態となる。
【００４９】
そこで、本発明は、ガラス天板３のバーナ４の設置領域と第１の操作部８及び表示部９の設置領域の境界域に、バーナ４の設置領域または第１の操作部８の設置領域の略全幅にわたって直線状に配置した区画視認手段２４を設け、バーナが作動状態にあるときは区画視認手段２４を消灯状態から点灯状態に発光状態を変化するようにしているため、コンロ
バーナ４の作動状態が一目瞭然に確認することができ、遠くからでも作動状態にあるか否かを容易に確認することができる。そして、ガラス天板３の表面が高温状態にあることを使用者に報知することができるため、安全で使い勝手のよいガス調理器を提供することができる。
【００５０】
また、コンロバーナ４を使用する場合とグリルバーナ５ｈを使用する場合で区画視認手段の発光形態を、例えば、点灯と点滅あるいは発光色を赤色と橙色に変化させて表示することで、使用者への認知度をより高めることができる。
【００５１】
また、コンロバーナ４またはグリルバーナ５ｈの単独使用時とコンロバーナ４及びグリルバーナ５ｈの同時使用時において、区画視認手段の発光形態を、例えば、点灯と点滅あるいは発光色を赤色と橙色に変化させて表示することで、使用者への認知度をより高めることができる。
【００５２】
さらに、１つのコンロバーナ４を使用している場合と複数のコンロバーナ４を使用している場合で、区画視認手段の発光形態を、例えば、点灯と点滅あるいは発光色を赤色と橙色に変化させて表示することで、使用者への認知度をより高めることができる。
【産業上の利用可能性】
【００５３】
以上のように本発明は、天板面に設けた発光状態で視認する区画視認手段を用いてコンロバーナとグリル部の動作状態を表示することで視認性の向上を図ることができるため、ガスコンロ、ガステーブル等の操作部分を改善する技術に適用できる。
【図面の簡単な説明】
【００５４】
【図１】本発明の実施の形態１におけるガス調理器の使用形態を示す図
【図２】同ガス調理器のグリル部及び第２の操作部を示す図
【図３】同ガス調理器の第２の操作部を示す図
【図４】同ガス調理器の断面図
【図５】同ガス調理器の上面図
【図６】同ガス調理器の天板部の構成図
【図７】同ガス調理器の第１の操作部の詳細構成図
【図８】同ガス調理器の第１の表示部の詳細構成図
【図９】同ガス調理器の表示ケースの構成図
【図１０】同ガス調理器の第１の表示部の詳細構成図
【図１１】同ガス調理器の区画視認手段の構成図
【符号の説明】
【００５５】
３  天板
４ａ，４ｂ，４ｃ  コンロバーナ
５  グリル部
５ａ  グリル扉
５ｂ  グリル庫
５ｈ  グリルバーナ
６ａ  第２の操作部
６ｂ  第２の表示部
８  第１の操作部
９  第１の表示部
２２  制御手段
２３  ガス流量制御装置
２４  区画視認手段
【図１】
2007147131.tif 000003
【図２】
2007147131.tif 000004
【図３】
2007147131.tif 000005
【図４】
2007147131.tif 000006
【図５】
2007147131.tif 000007
【図６】
2007147131.tif 000008
【図７】
2007147131.tif 000009
【図８】
2007147131.tif 000010
【図９】
2007147131.tif 000011
【図１０】
2007147131.tif 000012
【図１１】
2007147131.tif 000013